(57)【要約】【課題】先行手摺枠や二段手摺、巾木、更には塞ぎ板が有機的に結合され、部材個数が少なくてこれらの部材の組立ても簡単な枠組足場を提供する。【解決手段】建枠４の頂部に両端が連結された巾木２の両端部にスライド部材２１を対向して取り付け、巾木の下部に、上方から下降する部材のみを受け止めるストッパー２２を設ける。先行手摺枠１両端の縦部材１１を巾木のスライド部材に嵌め込んで先行手摺枠を上昇させ、先行手摺枠の下端横部材１２ａがストッパーを通過すると先行手摺枠の上昇を中止し、先行手摺枠が少し下降して先行手摺枠の下端横部材をストッパーで支える。また、巾木に塞ぎ板を取り付ける。【選択図】  図３
2005009126.tif 000002
【特許請求の範囲】
【請求項１】
門形をした２本の建枠を交叉筋違で連結し、建枠頂部の横架部材に踏板を載置してユニット足場とし、このユニット足場を左右方向と上下方向に連結した枠組足場であって、該踏板の長手方向の側部に垂直方向に設けられる巾木、および枠組足場を組立分解する時に、枠組足場の最上段に設けられる先行手摺枠を有する枠組足場において、
前記建枠の頂部に両端が連結された巾木の両端部に断面略コ字形のスライド部材が対向して取り付けられるとともに、巾木の下部に、上方から下降する部材のみを受け止めるストッパーが設けられ、
前記先行手摺枠両端の縦部材を最上段の建枠に取り付けられた巾木のスライド部材に嵌め込んで先行手摺枠を上昇させ、先行手摺枠の下端横部材がストッパーを通過すると先行手摺枠の上昇を中止し、先行手摺枠が少し下降して先行手摺枠の下端横部材がストッパーで支えられることを特徴とする枠組足場。
【請求項２】
前記巾木に固定された先行手摺枠を交叉筋違で連結された建枠間の安全手摺として利用することを特徴とする請求項１記載の枠組足場。
【請求項３】
前記踏板と巾木の間の隙間を塞ぐ塞ぎ板が該巾木に取り付けられたことを特徴とする請求項１又は２記載の枠組足場。
【請求項４】
前記塞ぎ板が巾木に折畳み可能に取り付けられたことを特徴とする請求項３記載の枠組足場。
【発明の詳細な説明】
【０００１】
【発明の属する技術分野】
本発明は、建設現場などで使用される枠組足場に関するものである。
【０００２】
【従来の技術】
建設現場などで使用される枠組足場は、門形をした２本の建枠を交叉筋違で連結し、建枠頂部の横架部材に踏板を載置してユニット足場とし、このユニット足場を建設現場の横幅と高さに応じて左右方向と上下方向に連結して構成される。
かかる枠組足場には、作業者や建設工具などの落下事故を防止するための構造が必要になる。
【０００３】
かかる枠組足場を組立てたり分解するときは、作業者は、その過程において枠組足場の最上段の踏板に立って組立てないし分解作業を行うが、この場合の落下事故を防止するための安全柵が必要となる。このため、作業者が最上段の踏板に上るのに先行して安全手摺（先行手摺枠）を最上段の建枠の上に設ける必要がある。
【０００４】
作業者が最上段以外の踏板に立って作業するときは、建枠を連結している×形をした交叉筋違が一応安全柵の役目を果たすが、かがんだ姿勢で作業している場合などは、交叉筋違の下方の三角形をした空間から落下する危険性があり、最近では交叉筋違の下方部分に安全手摺を設ける必要性が大きくなっている。この安全手摺は少なくとも上下二本の手摺が必要なので二段手摺といわれている。
【０００５】
次に、ボルトやナットなどの小さな建設資材やハンマーやドライバーなどの建設工具などの落下事故も防止する必要があるが、踏板上に置かれたこれら建設工具などの落下を防止するために、踏板の長手方向の側部に垂直方向の巾木を設けるのが有効である。また、踏板の側部と巾木の間に建設工具などが落下するだけの隙間があるときは、この隙間を塞ぐ塞ぎ板を設ける必要がある。
【０００６】
【発明が解決しようとする課題】
このように、作業者や建設工具などの落下事故を防止するために、先行手摺枠や二段手摺、巾木、更には塞ぎ板などが必要に応じて枠組足場に設けられるが、従来はこれら各々が専用の部材となっており、相互に関連性がなかった。従って、部材個数が多く、組立てにも大きな手間を要する不具合があった。
【０００７】
そこで本発明は、先行手摺枠や二段手摺、巾木、更には塞ぎ板が有機的に結合され、部材個数が少なくてこれらの部材の組立ても簡単な枠組足場を提供することを目的とする。
【０００８】
【課題を解決するための手段】
かかる目的を達成するために、請求項１の発明は、門形をした２本の建枠を交叉筋違で連結し、建枠頂部の横架部材に踏板を載置してユニット足場とし、このユニット足場を左右方向と上下方向に連結した枠組足場であって、踏板の長手方向の側部に垂直方向に設けられる巾木、および枠組足場を組立分解する時に、枠組足場の最上段に設けられる先行手摺枠を有する枠組足場において、建枠の頂部に両端が連結された巾木の両端部に断面略コ字形のスライド部材を対向して取り付けるとともに、巾木の下部に、上方から下降する部材のみを受け止めるストッパーを設け、先行手摺枠両端の縦部材を最上段の建枠に取り付けられた巾木のスライド部材に嵌め込んで先行手摺枠を上昇させ、先行手摺枠の下端横部材がストッパーを通過すると先行手摺枠の上昇を中止し、先行手摺枠が少し下降して先行手摺枠の下端横部材がストッパーで支えられるようにする。
【０００９】
請求項２の発明は、先行手摺枠をユニット足場の数だけ用意し、巾木に固定された先行手摺枠を交叉筋違で連結された建枠間の二段手摺として利用する。また、踏板の側部と巾木の間に建設工具などが落下するだけの隙間がある場合は、請求項３の発明のように、踏板と巾木の間の隙間を塞ぐ塞ぎ板を巾木に取り付け、更には、請求項４の発明のように、塞ぎ板を巾木に折畳み可能に取り付けるのが好ましい。
【００１０】
【発明の実施の形態】
以下に、図面に基づいて本発明の実施の形態を具体的に説明する。先行手摺枠１は、図１に示すように、鉄板を四角柱に成形して表面を亜鉛めっき処理した２本の縦部材１１および３本の横部材１２を連結してなり、長円状の中央部材１３が横部材１２に取り付けられた簡単な構造のものである。なお、１２ａは最下端の横部材である。
【００１１】
巾木２は、図２に示すように、長尺の鉄板の中央部を長手方向に断面コ字形に屈曲するとともに縁部を折り曲げて剛性を大きくしたものであり、その両端に断面コ字形のスライド部材２１が対向して取り付けられている。そして、スライド部材２１には、先行手摺枠１の縦部材１１を固定するための締めねじ２４が設けられている。また、巾木２の下端にはストッパー枠２３が設けられており、ストッパー２２がピン２４により回動可能にストッパー枠２３に取り付けられている。このストッパー２２は自然状態では水平姿勢であり、上方からの部材を受け止めてストッパーとしての機能を果たすが、下方から突き上げられると垂直方向に回動してストッパーの機能を果たさないようになっている。なお、図例ではストッパー２２は１個であるが、これを複数個設けてもよい。スライド部材２１の外側には、巾木２を建枠４に固定するための第１固定部材２５およびくさび２６ａを有する第２固定部材２６が取り付けられている。そして、塞ぎ板３がヒンジ２１により折畳み可能に巾木２に取り付けられており、収納時はコンパクトに収納できるようになっている。なお、巾木２と図４に示す踏板６との隙間が小さいときは、塞ぎ板３は必ずしも必要ではない。
【００１２】
図３は本発明実施例の枠組足場の組立て途中を示す正面図であり、図４は平面図であるが、図３および図４において、門形をした２本の建枠４が交叉筋違５で連結され、建枠４頂部の横架部材４１に踏板６を載置したものがユニット足場であり、このユニット足場が建設現場の横幅と高さに応じて左右方向と上下方向に連結される。
【００１３】
しかして、最上段の踏板６ａに作業者が上る前に踏板６ａの側部に先行手摺枠１を取り付ける必要があるが、そのために、先ず、巾木２を最上段の建枠４ａの頂部に固定する。すなわち、第１固定部材２５の上端部分を一方の建枠４の横架部材４１に載せ、次に、第１固定部材２５を中心にして巾木２の第２固定部材２６側を内側から外側に回動させて第２固定部材２６を他方の建枠４の横架部材４１に載せる。そして、くさび２６ａを打ち込んで第２固定部材２６を他方の建枠４に固定することにより、巾木２を最上段の建枠４ａの頂部に固定することができる。巾木２を建枠４に固定すると、図４に示すように、塞ぎ板３が自動的に踏板６と巾木２の間の隙間を塞ぐ。そして、垂直方向の巾木２と水平方向の塞ぎ板３が共働して踏板６上に置かれた建設工具などの落下を防止する。
【００１４】
次に、先行手摺枠１の縦部材１１、１１を巾木２のスライド部材２１、２１に下側からはめ込み、縦部材１１、１１をスライドさせながら先行手摺枠１を下から押し上げる。先行手摺枠１が上昇する過程で横部材１２がストッパー２１を下から突き上げて垂直方向に回動させるので先行手摺枠１は上昇可能であるが、最下端の横部材１２ａがストッパー２１を下から突き上げて通過すると先行手摺枠１の押し上げを中止する。これにより、ストッパー２２は水平姿勢になり、先行手摺枠１から手を離すと先行手摺枠１は少し降下して最下端の横部材１２ａがストッパー２１で支えられる。そして、締めねじ２４を回動して縦部材１１、１１を巾木２のスライド部材２１、２１に固定すれば、先行手摺枠１の取り付けは完成する。
【００１５】
先行手摺枠１をユニット足場が左右方向に連結された数だけ用意し、ユニット足場を上に積み上げるたびに先行手摺枠１を上昇させると、先行手摺枠１は組立て途中の最上段の踏板６から落下するのを防止する本来の先行手摺としての役目のみを果たす。しかし、先行手摺枠１をユニット足場の総数と同じ数だけ用意すると、先行手摺枠１は据え置きタイプとすることができ、建枠４を連結する交叉筋違５の下方の三角形をした空間からの落下事故を防止する二段手摺として利用することができる。
【００１６】
【発明の効果】
以上説明したように、本発明は、建枠の頂部に両端が連結された巾木の両端部に断面略コ字形のスライド部材を対向して取り付けるとともに、巾木の下部に、上方から下降する部材のみを受け止めるストッパーを設け、二段手摺としても利用可能な先行手摺枠の両端の縦部材を最上段の建枠に取り付けられた巾木のスライド部材に嵌め込んで先行手摺枠を下から押し上げ、先行手摺枠の下端横部材がストッパーを通過すると先行手摺枠の上昇を中止し、先行手摺枠が少し下降して先行手摺枠の下端横部材がストッパーで支えられるようにし、また、巾木に塞ぎ板を取り付けるので、先行手摺枠や二段手摺、巾木、更には塞ぎ板が有機的に結合され、部材個数が少なくてこれらの部材の組立ても簡単な枠組足場とすることができる。
【図面の簡単な説明】
【図１】先行手摺枠の正面図である。
【図２】（Ａ）は塞ぎ板付巾木の平面図、（Ｂ）は正面図、（Ｃ）は（Ｂ）図のＣ−Ｃ線における塞ぎ板を省略した断面図である。
【図３】本発明実施例の正面図である。
【図４】本発明実施例の平面図である。
【符号の説明】
１    先行手摺枠
１１    縦部材
１２    横部材
１３    中央部材
２    巾木
２１    スライド部材
２２    ストッパー
２３    ストッパー枠
２４    ピン
２５    第１固定部材
２６    第２固定部材
３    塞ぎ板
３１    ヒンジ
４    建枠
４１    横架部材
５    交叉筋違
６    踏板
【図１】
2005009126.tif 000003
【図２】
2005009126.tif 000004
【図３】
2005009126.tif 000005
【図４】
2005009126.tif 000006